(57)【要約】  電気コネクタは、互いに反対側に位置する第１端及び第２端を有するコネクタ本体を備えている。第１端は、ケーブルの準備された端部と連結されるように構成されている。連結部材が、結合コネクタと接合するように構成された接合端と、接合端の反対側の自由端と、を有し、自由端は、コネクタ本体の第２端においてコネクタ本体に対して回転可能である。弾性接地部材が、コネクタ本体における第２端の外面と連結部材の自由端との間に配置されている。コネクタ本体、連結部材及び弾性接地部材それぞれは、導電性を有し、これにより、コネクタ本体と連結部材との間に接地経路が創成されている。
2013541821.tif 000002
【特許請求の範囲】
【請求項１】
互いに反対側に位置する第１端及び第２端を有するコネクタ本体であって、前記第１端がケーブルの準備された端部と連結されるように構成された、コネクタ本体と、
結合コネクタと接合するように構成された接合端と、前記接合端の反対側の自由端と、を有する連結部材であって、前記自由端が前記コネクタ本体の前記第２端において前記コネクタ本体に対して回転可能である、連結部材と、
前記コネクタ本体における前記第２端の外面と前記連結部材の前記自由端との間に配置された弾性接地部材と、
を備える電気コネクタであって、
前記コネクタ本体、前記連結部材及び前記弾性接地部材それぞれが、導電性を有し、これにより、前記コネクタ本体と前記連結部材との間に接地経路が創成されていることを特徴とする電気コネクタ。
【請求項２】
前記接地部材は、前記コネクタ本体における前記第２端の前記外面をほぼ囲むように延在していることを特徴とする請求項１に記載の電気コネクタ。
【請求項３】
前記接地部材は、コイルバネ、波形バネ及びＯリングのうちのいずれか１つであることを特徴とする請求項１に記載の電気コネクタ。
【請求項４】
前記コネクタ本体の前記第２端は、テーパ状部分を含み、前記連結部材の前記自由端は、自由端面を含み、前記接地部材は、前記テーパ状部分及び前記自由端面双方と接触していることを特徴とする請求項１に記載の電気コネクタ。
【請求項５】
前記接地部材は、ほぼリング形状であることを特徴とする請求項１に記載の電気コネクタ。
【請求項６】
前記接地部材は、切欠部分を含んでいることを特徴とする請求項５に記載の電気コネクタ。
【請求項７】
前記ケーブルの前記処理された端部に連結するために前記コネクタ本体に挿入可能な棒状部材をさらに備え、前記連結部材は、前記棒状部材の端部に回転可能に連結されていることを特徴とする請求項１に記載の電気コネクタ。
【請求項８】
前記連結部材は、前記結合コネクタに連結するための内側ねじ山を有するナットであることを特徴とする請求項１に記載の電気コネクタ。
【請求項９】
互いに反対側に位置する第１端及び第２端を有するコネクタ本体であって、前記第１端がケーブルの準備された端部と連結されるように構成された、コネクタ本体と、
結合コネクタと接合するように構成された接合端と、前記接合端の反対側の自由端と、を有する連結部材であって、前記自由端が前記コネクタ本体の前記第２端において前記コネクタ本体に対して回転可能である、連結部材と、
前記コネクタ本体または前記連結部材のいずれの内部にも位置しないように、前記コネクタ本体における前記第２端の外面と前記連結部材の前記自由端の外面との間に配置された弾性接地部材と、
を備える電気コネクタであって、
前記コネクタ本体、前記連結部材及び前記弾性接地部材それぞれが、導電性を有し、これにより、前記コネクタ本体と前記連結部材との間に接地経路を作り出すことを特徴とする電気コネクタ。
【請求項１０】
前記接地部材は、前記コネクタ本体における前記第２端の前記外面をほぼ囲むように延在していることを特徴とする請求項９に記載の電気コネクタ。
【請求項１１】
前記接地部材は、コイルバネ、波形バネ及びＯリングのうちのいずれか１つであることを特徴とする請求項９に記載の電気コネクタ。
【請求項１２】
前記接地部材は、切欠部分を含んでいることを特徴とする請求項９に記載の電気コネクタ。
【請求項１３】
互いに反対側に位置する第１端及び第２端を有するコネクタ本体であって、前記第１端がケーブルの準備された端部と連結されるように構成された、コネクタ本体と、
結合コネクタと接合するように構成された接合端と、前記接合端の反対側の自由端と、を有する連結部材であって、前記自由端が前記コネクタ本体の前記第２端において前記コネクタ本体に対して回転可能である、連結部材と、
前記コネクタ本体の前記第２端と前記連結部材の前記自由端との間に設置された接地するための手段であって、前記コネクタ本体と前記連結部材との間に接地経路を提供する、手段と、
を備えることを特徴とする電気コネクタ。
【請求項１４】
前記接地するための手段は、隣接する前記コネクタ本体及び前記連結部材の外面の間に配置されていることを特徴とする請求項１３に記載の電気コネクタ。
【請求項１５】
前記接地するための手段は、前記コネクタ本体の前記第２端をほぼ囲むように延在したリングを含んでいることを特徴とする請求項１３に記載の電気コネクタ。
【請求項１６】
前記リングは、切欠部分を含んでいることを特徴とする請求項１５に記載の電気コネクタ。
【請求項１７】
前記接地するための手段は、弾性を有することを特徴とする請求項１３に記載の電気コネクタ。
【発明の詳細な説明】
【技術分野】
【０００１】
（関連出願）
本出願は、米国特許法第１１９条の下で、２０１０年１１月１日付けで出願された接地部材を有する電気コネクタと題する米国仮特許出願第６１／４０８，９２７号明細書に優先権を主張するものである。
【０００２】
本発明は、電気コネクタ、例えば同軸ケーブルコネクタのための接地部材に関する。
【先行技術文献】
【特許文献】
【０００３】
【特許文献１】米国特許第７７５３７０５号明細書
【特許文献２】米国特許第７１１４９９０号明細書
【発明の概要】
【発明が解決しようとする課題】
【０００４】
同軸ケーブルコネクタは、一般的に、同軸ケーブルを別の機器、例えば器具・装置・設備等の結合ポートまたは端子に接続するために用いられる。さまざまな理由、例えば装置の動き、振動またはコネクタの不適切な設置に起因して、同軸コネクタと結合ポートとの間の接続がゆるくなる。このことは、結合ポートの導体と同軸ケーブルの導体との間の弱い接続に起因して、信号の劣化及びＲＦＩ漏れ（受信障害）を生じさせるおそれがある。従って、同軸コネクタとその結合ポートとの間の緩い接続を補償することができる、そのような導体間における代替の接地経路に対する要望が存在する。
【０００５】
従来技術の接地機構を有するコネクタにおける例としては、Montenaによる特許文献１及びBenceらによる特許文献２があり、これら特許文献それぞれの内容は、参照することにより本明細書に組み込まれる。
【課題を解決するための手段】
【０００６】
従って、本発明は、互いに反対側に位置する第１端及び第２端を有するコネクタ本体を備える電気コネクタを提供する。第１端は、ケーブルの準備された端部と連結されるように構成されている。連結部材が、結合コネクタと接合するように構成された接合端と、接合端の反対側の自由端と、を有し、自由端がコネクタ本体の第２端においてコネクタ本体に対して回転可能である。弾性接地部材が、コネクタ本体における第２端の外面と連結部材の自由端との間に配置されている。コネクタ本体、連結部材及び弾性接地部材それぞれが、導電性を有し、これにより、コネクタ本体と連結部材との間に接地経路が創成されている。
【０００７】
また、本発明は、互いに反対側に位置する第１端及び第２端を有するコネクタ本体を備える電気コネクタを提供する。第１端は、ケーブルの準備された端部と連結されるように構成されている。連結部材が、結合コネクタと接合するように構成された接合端と、接合端の反対側の自由端と、を有し、自由端がコネクタ本体の第２端においてコネクタ本体に対して回転可能である。弾性接地部材が、コネクタ本体または連結部材のいずれの内部にも位置しないように、コネクタ本体における第２端の外面と連結部材の自由端の外面との間に配置されている。コネクタ本体、連結部材及び弾性接地部材それぞれが、導電性を有し、これにより、コネクタ本体と連結部材との間に接地経路を作り出す。
【０００８】
電気コネクタは、互いに反対側に位置する第１端及び第２端を有するコネクタ本体を備えている。第１端は、ケーブルの準備された端部に連結されるように構成されている。連結部材が、結合コネクタと接合するように構成された接合端と、接合端の反対側の自由端と、を有し、自由端がコネクタ本体の第２端においてコネクタ本体に対して回転可能である。接地するための手段が、コネクタ本体の第２端と連結部材の自由端との間に設置されている。接地するための手段が、コネクタ本体と連結部材との間に接地経路を提供する。
【０００９】
本発明における他の目的、利点及び顕著な特徴は、添付の図面と併せて本発明の好ましい実施形態を開示する以下の詳細な説明から明らかになる。
【００１０】
添付の図面を併せて考慮し、以下の詳細な説明を参照して本発明がよりよく理解されることで、本発明のより完全な理解及びそれによってもたらされる多くの利点は容易に得られる。
【図面の簡単な説明】
【００１１】
【図１】本発明の例示的な実施形態による電気コネクタの斜視図である。
【図２】図１に示した電気コネクタの分解斜視図である。
【図３Ａ】図１に示した電気コネクタにおける接地部材の正面図である。
【図３Ｂ】図１に示した電気コネクタにおける接地部材の断面図である。
【図４】図１に示した電気コネクタの部分的な断面図である。
【図５】接地部材の設置を示す図４と同様の拡大断面図である。
【発明を実施するための形態】
【００１２】
図１、図２、図３Ａ、図３Ｂ、図４及び図５を参照すると、本発明は、接地部材１１０を含んだ電気コネクタ１００、例えば同軸コネクタに関する。接地部材１１０は、コネクタ１００と連結されたケーブルと、装置、例えばテレビ受像機における対応する結合コネクタまたはポート（図示せず）と、の間の継続的な接地経路を、これらの間の接続がゆるくなった場合にも保証する。
【００１３】
コネクタ１００は、全体として、接地部材１１０、コネクタ本体１２０、連結部材１３０及び棒状部材１４０を含んでいる。圧縮リング１７０が、ケーブルのコネクタへの終端処理を容易にするために設けられてもよい。図３Ａ及び図３Ｂから分かるように、接地部材１１０は、コネクタ１００の外面上に配置されており、これにより、連結部材１３０とコネクタ本体１２０との間の電気接触を維持する。接地部材１１０により、コネクタ１００とその結合コネクタまたはポートとの間の接続がゆるくなった場合であっても上記電気接触が維持される。
【００１４】
棒状部材１４０は、ほぼ管形状であって、一端１４６において連結部材１３０と連結するように構成された拡大肩部１４２と、当技術分野で周知なように同軸ケーブルの準備された端部（図示せず）と接合するように構成された他端１４４と、を有する、管形状を有している。図１から分かるように、棒状部材１４０は、コネクタ本体１２０内及び連結部材１３０内双方に収容される。これは、連結部材１３０が端部１４６において棒状部材１４０に対して回転し、且つコネクタ本体１２０が棒状部材１４０と緊密にまたは摩擦密着して係合するようになされる。
【００１５】
連結部材１３０は、図１及び図２からよく分かるように、好ましくは内側ねじ山１３２を有するナットであり、且つ結合コネクタまたはポートの外側ねじ山と螺合するように構成されている。連結部材１３０は、結合コネクタと係合する接合端１３４と、端面１３７（図５）を有する、接合端の反対側の自由端１３６と、を含んでいる。連結部材１３０の自由端１３６の近傍は、棒状部材１４０の拡大肩部１４２を捕捉する内側に延在する肩部１３８であり、これにより、連結部材１３０を棒状部材１４０に回転可能に連結させる。好ましくは、Ｏリング１３９が、連結部材１３０の内側に設けられており、水分移動を防止する。
【００１６】
図１及び図２から分かるように、コネクタ本体１２０は、全体として管形状であって、当技術分野において周知なように、ケーブルの処理された端部と連結するように構成された第１端１２２と、棒状部材１４０と係合する、第１端と反対側のテーパ状第２端１２４と、を有する、管形状である。その第２端１２４において、コネクタ本体１２０は、移行肩部１２７及びテーパ面１２８を有する移行部分１２６を含んでいてもよい。あるいは、移行部分１２６は、テーパ面のみを有するか、または一連のテーパ状肩部をであってもよい。移行部分１２６は、図１から分かるように、連結部材１３０の自由端１３６と接する。図５から分かるように、間隙１８０が、コネクタ本体１２０の移行部分と連結部材１３０の端面１３７との間に存在する。該間隙１８０は、コネクタの公差によって変更されてもよい。Ｏリング１４９は、水分移動を防止するために、連結部材１３０の自由端１３６とコネクタ本体１２０の第２端１２４とが重なった部分の間に設けられていてもよい。
【００１７】
図２、図３Ａ及び図３Ｂから分かるように、接地部材１１０は、好ましくは、弾力性を有するリングであり、コネクタ本体１２０及び連結ナット１３０にわたって緊密な密着を形成する。例として、接地部材１１０は、コイルバネ、波形座金、歯付座金などであってもよい。あるいは、接地部材１１０は、導電性を有するＯリングであってもよい。接地部材１１０は、接地部材１１０におけるコネクタ１００上への組立てを容易にするために、切欠部分２００（図３Ａ）を含んでもよい。図４及び図５から分かるように、接地部材１１０は、好ましくは、連結部材１３０の自由端１３６とコネクタ本体１２０の第２端１２４との間の間隙１８０内に取り付けられている。特に、接地部材１１０は、隣接する構成要素の表面と接触し、すなわち、コネクタ本体における第２端１２４の移行部分１２６及び連結部材における自由端１３６の端面と接触している。接地部材１１０が弾性を有するので、接地部材は、所定位置に留まり、コネクタ本体１２０と連結部材１３０との間の不変的な接地経路を提供する。接地部材１１０は、間隙１８０に配置されることが好ましいが、接地部材１１０は、接地部材が隣接する構成要素双方の表面と接触するのであれば、コネクタ本体１２０及び連結部材１３０における任意の外面または露出面に設置されてもよく、これにより、構成要素間の電気的導通を維持する。
【００１８】
本発明を説明するために特別な実施形態が選択されたが、当業者には、さまざまな変更及び改良が、添付の特許請求の範囲に規定されるように本発明の権利範囲から逸脱することなくなされることができることが理解される。
【符号の説明】
【００１９】
１１０  接地部材、１２０  コネクタ本体、１２２  第１端、１２４  第２端、１２８  テーパ状部分、１３０  連結部材、１３２  内側ねじ山、１３４  接合端、１３６  自由端、１４０  棒状部材、２００  切欠部分
【図１】
2013541821.tif 000003
【図２】
2013541821.tif 000004
【図３Ａ】
2013541821.tif 000005
【図３Ｂ】
2013541821.tif 000006
【図４】
2013541821.tif 000007
【図５】
2013541821.tif 000008
【国際調査報告】
2013541821.tif 000009
2013541821.tif 000010